(57)【特許請求の範囲】
【請求項１】
壁紙糊付機とともに壁紙裁断装置とを備え、糊付機本体においては糊付ローラにより壁紙に糊付を行い、壁紙裁断装置においては糊付けに先立って所定巾に裁断する自動糊付機であって、
壁紙裁断装置は、壁紙裁断装置に設けたフック片と弾性係止部で壁紙糊付機にワンタッチ装着脱可能に設けられた構成であって、
フック片は壁紙糊付機の下部ステーに装着されて取り付けられる構成とし、
下部ステーの上方に位置する上部ステーに壁紙裁断装置外れ防止ストッパーを壁紙裁断装置が着脱可能な位置あるいは壁紙裁断装置の外れを防止する位置のいずれかにスライド自在に設けた
ことを特徴とする壁紙糊付機。
【請求項２】
壁紙裁断装置外れ防止ストッパーを壁紙裁断装置が着脱可能な位置あるいは壁紙裁断装置の外れを防止する位置の少なくとも壁紙裁断装置の外れを防止する位置に係止される係止手段を設けたことを特徴とする請求項１記載の壁紙糊付機。
【請求項３】
壁紙裁断装置外れ防止ストッパーにストッパー部を設け、上部ステーに沿ってスライドすることによりストッパー部が壁紙裁断装置に設けたフック片の上方に位置することで壁紙裁断装置の外れを防止する位置となることを特徴とする請求項１または請求項２のいずれかに記載の壁紙糊付機。
【請求項４】
壁紙裁断装置外れ防止ストッパーが壁紙裁断装置の外れを防止する位置にあるときに、壁紙裁断装置外れ防止ストッパーに当接しないまたは当接してもカバーは上部ステーに沿った状態で設置される切り欠きを具備した垂直部を有するコの字状のカバーを具備し、壁紙裁断装置外れ防止ストッパーが壁紙裁断装置を着脱可能な位置にあるときには上記切り欠きが壁紙裁断装置外れ防止ストッパーに当接してカバー端部が上部ステーから浮きあがった状態となることを特徴とする請求項１から請求項３のいずれかに記載の壁紙糊付機。
【発明の詳細な説明】
【技術分野】
【０００１】
本発明は、壁紙糊付機に関するものである。さらに詳しくは、壁紙糊付機に着脱自在に設けられているスリッターが、壁紙糊付機の運搬中に衝撃などによって装着が外れることを防止する壁紙糊付機に関するものである。
【背景技術】
【０００２】
従来より壁紙糊付機は自動壁紙糊付機や手動壁紙糊付機が知られており、それらの糊付機に着脱自在に設けられた壁紙裁断装置であるスリッターもよく知られている。
【０００３】
本出願人も、種々の提案をしており、下記に特許文献１として記載する自動糊付機において、糊付機本体とともに壁紙裁断装置とを備え、糊付機本体では糊付ロールによりクロスに糊付し、壁紙裁断装置においては糊付けに先立って所定巾に裁断する自動糊付機であって、糊付機本体への壁紙裁断装置の取付対向部では、糊付機本体と壁紙裁断装置の各々の上下部に被係止体部と係止体部のいずれかが設けられ、係止体部の少くとも一つは、変形して係合可能な弾性係止体部であり、これらの被係止体部と係止体部とにより、糊付機本体に壁紙裁断装置がワンタッチ装着脱自在とされていることを特徴とする自動糊付機として提案してもいる。
【先行技術文献】
【特許文献】
【０００４】
【特許文献１】特許第３６３２８６７号公報
【発明の開示】
【発明が解決しようとする課題】
【０００５】
壁紙糊付機は、壁紙を施工する現場に持ち込んで糊付けを行い、壁紙に糊がなじむ所定のオープンタイムを経過させた後に、壁面へ貼り付けをされている。
【０００６】
上記したワンタッチ装着脱自在に設けられている壁紙裁断装置は使い勝手が良いとの評価を受けており、壁装職人の事務所から自動車に積込みする際や自動車から現場への移動の際、現場内で糊付機の場所を移動させたりする際に、壁紙裁断装置を壁紙糊付機に装着した状態で移動したり、壁紙糊付機の本体と壁紙裁断装置を分割した状態で移動させたりと壁装職人が任意に選択して使い勝手の良い状態を選んで移動させている。
【０００７】
壁紙糊付機の本体には着脱自在な折りたたみ可能の脚部が設けられ、この脚部には使用状態においては移動のためのキャスターが設けられているので、自動車を駐車した場所から施工現場まで距離がある場合においては、壁紙糊付機の脚部を使用状態にしてキャスターを接地させて移動させていることが通常である。
【０００８】
このキャスターを接地させて壁紙糊付機の取手を引いたり、押したりして移動させているときに、不注意などから歩道などの段差を勢いよく通過させてしまうことがあった。このような場合に、１０ｃｍ以上の段差を落ちることになり、段差を落ちてキャスターが接地したときの衝撃が壁紙裁断装置の弾性狭持フック片（上記特許文献１の図１あるいは図２の符号８１２）に伝わり、弾性狭持フック片の係止が外れてしまい、さらに衝撃によって壁紙裁断装置が上方に浮き上がってしまってフック片（上記特許文献１の図１あるいは図２の符号８１１）が上部ステーから外れてしまい、壁紙裁断装置が壁紙糊付機から脱落してしまうということが発生していた。
【０００９】
壁紙裁断装置が壁紙糊付機から脱落してしまうと、壁紙裁断装置のフレーム部を地面に強打してしまうこととなり、フレーム部の割れが発生したりして使用不能となってしまうことにつながっていた。
【００１０】
また、壁紙裁断装置が壁紙糊付機から脱落してしまうという状態は、脚部を折りたたんだ状態で自動車に積込みした状態でも、大きな段差を自動車で通過してしまった場合などにも起きることがあり、積込みしている工具や資材、あるいは壁紙裁断装置に思わぬ損傷が発生してしまう可能性があったのである。
【課題を解決するための手段】
【００１１】
上記の課題を解決するために本発明は、壁紙糊付機とともに壁紙裁断装置とを備え、糊付機本体においては糊付ローラにより壁紙に糊付を行い、壁紙裁断装置においては糊付けに先立って所定巾に裁断する自動糊付機であって、壁紙裁断装置は、壁紙裁断装置に設けたフック片と弾性係止部で壁紙糊付機にワンタッチ装着脱可能に設けられた構成であって、フック片は壁紙糊付機の下部ステーに装着されて取り付けられる構成とし、下部ステーの上方に位置する上部ステーに壁紙裁断装置外れ防止ストッパーを壁紙裁断装置が着脱可能な位置あるいは壁紙裁断装置の外れを防止する位置のいずれかにスライド自在に設けたことを特徴とする。
【００１２】
また、壁紙裁断装置外れ防止ストッパーを壁紙裁断装置が着脱可能な位置あるいは壁紙裁断装置の外れを防止する位置の少なくとも壁紙裁断装置の外れを防止する位置に係止される係止手段を設けたことを特徴とする。
【００１３】
さらにまた、壁紙裁断装置外れ防止ストッパーにストッパー部を設け、上部ステーに沿ってスライドすることによりストッパー部が壁紙裁断装置に設けたフック片の上方に位置することで壁紙裁断装置の外れを防止する位置となることを特徴とする。
【００１４】
さらにまた、壁紙裁断装置外れ防止ストッパーが壁紙裁断装置の外れを防止する位置にあるときに、壁紙裁断装置外れ防止ストッパーに当接しないまたは当接してもカバーは上部ステーに沿った状態で設置される切り欠きを具備した垂直部を有するコの字状のカバーを具備し、壁紙裁断装置外れ防止ストッパーが壁紙裁断装置を着脱可能な位置にあるときには上記切り欠きが壁紙裁断装置外れ防止ストッパーに当接してカバー端部が上部ステーから浮きあがった状態となることを特徴とする。
【発明の効果】
【００１５】
本発明により、壁紙裁断装置外れ防止ストッパーを設けることによって壁紙裁断装置の脱落を防止することが確実に行える。下部ステーの上方に位置する上部ステーに壁紙裁断装置外れ防止ストッパーを壁紙裁断装置が着脱可能な位置あるいは壁紙裁断装置の外れを防止する位置のいずれかにスライド自在に設けているので、壁紙裁断装置を着脱する際には壁紙裁断装置外れ防止ストッパーを壁紙裁断装置が着脱可能な位置にスライドさせ、現場への移動中や搬送中、あるいは糊付作業中など壁紙裁断装置が外れては困る状況においては壁紙裁断装置外れ防止ストッパーを壁紙裁断装置の外れを防止する位置へスライドして壁紙裁断装置の脱落を防止することができる。
【００１６】
さらに、係止部を設けた場合には、移動や搬送中の振動などで壁紙裁断装置の外れを防止する位置へスライドさせた壁紙裁断装置外れ防止ストッパーを係止させることで壁紙裁断装置の脱落を確実に防止するのである。
【００１７】
さらに、カバーをセットしたときに、壁紙裁断装置外れ防止ストッパーが壁紙裁断装置の外れを防止する位置にあるときに、壁紙裁断装置外れ防止ストッパーに当接しないまたは当接してもカバーは上部ステーに沿った状態で設置される切り欠きを具備したカバーとすることで、カバーの端部が浮き上がっているかどうかで壁紙裁断装置の脱落が防止できる位置になっているのかどうかが判別しやすくなり、壁紙裁断装置の脱落を確実に防止するのである。
【図面の簡単な説明】
【００１８】
【図１】（ａ）は壁紙裁断装置外れ防止ストッパーの正面図、（ｂ）が側面図、（ｃ）が底面図である。
【図２】（ａ）は、壁紙裁断装置外れ防止ストッパーで壁紙裁断装置の外れを防止する位置に係止した状態であり、（ｂ）は、壁紙裁断装置を着脱可能な位置に係止した状態を示す説明図である。
【図３】図２（ａ）または図２（ｂ）を側面から見た状態を示す説明図である。
【図４】ピンと第１のロック係止部が嵌合して係止されている状態を上部ステーの底面側から見た状態を示す説明図である。
【図５】壁紙裁断装置外れ防止ストッパーの別の実施形態に関する説明図であって、（ａ）は壁紙裁断装置外れ防止ストッパーの正面図、（ｂ）が側面図、（ｃ）が底面図、（ｄ）が平面図である。
【図６】壁紙裁断装置外れ防止ストッパーの別の実施形態に関する説明図であって、（ａ）は壁紙裁断装置外れ防止ストッパーの正面図、（ｂ）が側面図、（ｃ）が底面図、（ｄ）が平面図である。
【図７】ピンと第１のロック係止部が嵌合して係止されている状態を上部ステーの底面側から見た状態を示す説明図である。
【図８】（ａ）は、壁紙裁断装置外れ防止ストッパーが壁紙裁断装置の外れを防止する位置に係止した状態でカバーを壁紙糊付機にセットした状態の説明図であり、（ｂ）は壁紙裁断装置外れ防止ストッパーが壁紙裁断装置を着脱可能な位置に係止した状態でカバーを壁紙糊付機にセットした状態の説明図である。
【発明を実施するための最良の形態】
【００１９】
本発明の実施形態について図面を用いて説明する。壁紙糊付機は本体と脚部から構成される構成、壁紙裁断装置の構成などは従来と同じであるため、壁紙糊付機１の本体と壁紙裁断装置４の着脱と脱落防止の点について図を用いて説明する。
【００２０】
図１は壁紙裁断装置に設けられている取付用フックの上方に係止することができる壁紙裁断装置外れ防止ストッパー１０であり、（ａ）は壁紙裁断装置外れ防止ストッパー１０の正面図、（ｂ）が（ａ）の右側面図、（ｃ）が底面図である。
【００２１】
壁紙裁断装置外れ防止ストッパー１０は、壁紙糊付機１の左右の上部フレーム２に設けられている上部ステー３にスライド可能に設けられるので、図１（ｂ）に示すようにステーに取り付けるための穴部１０ｂを有し、図１（ａ）の左下部にストッパー部１０ａを有している。また、１０ｃは、上部ステー３に対して左右方向へのスライドを行い易くするための操作部であり、図に示すように円弧状に複数の凹凸部設けた形態としている。
【００２２】
そして、壁紙裁断装置外れ防止ストッパー１０の係止位置を定めるロック機構が設けられており、図１（ｃ）の底面図に示したように、第１のロック係止部１０ｄと第２のロック係止部１０ｅを設けている。この第１のロック係止部１０ｄと第２のロック係止部１０ｅは後述する上部ステー３に設けられたピン１１と嵌合することで壁紙裁断装置外れ防止ストッパー１０を係止する。壁紙裁断装置外れ防止ストッパー１０は樹脂成形で製作すると費用を低減して実施することが可能である。
【００２３】
次に壁紙裁断装置外れ防止ストッパー１０の使用について説明する。
図２は壁紙糊付機１の壁紙裁断装置４を取り付けた状態の説明図で、片側の糊付機端部を拡大して図示しているものである。図２（ａ）は壁紙裁断装置外れ防止ストッパー１０を壁紙裁断装置の４の外れを防止する位置に係止した状態の正面図である。そして、図３は、図１の側面図である。図２は壁紙裁断装置４を取り付ける側から見て左側端部の拡大を図示したもので、右側端部については勝手反対の図となるのみであり省略をしている。
【００２４】
図２（ａ）及び図２（ｂ）に示しているように、壁紙裁断装置外れ防止ストッパー１０は上部フレーム２に設けられた上部ステー３に取り付けられ、図面の左右方向すなわち壁紙の幅方向にスライド自在に設けられている。図２においては、壁紙裁断装置４の刃物やフレーム間に設けているステーなどはフック片５が見えなくなるために省略した状態の図示をしている。
【００２５】
図３は、図２（ａ）または図２（ｂ）を側面から見た状態を図示したものである。図２（ａ）と図３においては、壁紙裁断装置４のフック片５と壁紙裁断装置外れ防止ストッパー１０のストッパー部１０ａ間には隙間を設けているが、図２（ａ）の状態、すなわち、壁紙裁断装置外れ防止ストッパー１０で壁紙裁断装置４の外れを防止する位置に係止した状態にした場合には、上記の隙間が存在していても、壁紙裁断装置４が外れようと壁紙糊付機１に対して上方へ移動しようとすることを壁紙裁断装置外れ防止ストッパー１０で防止しているために、弾性狭持フック片６が外れてしまい、強い衝撃がかかっても壁紙裁断装置４が壁紙糊付機１から脱落してしまうことはない状態とすることができるのである。
【００２６】
また、さらに上記の隙間はほぼ無いくらいの形状や寸法にフック片５やストッパー部１０ａをすることもできる。しかし、常にストッパー部１０ａをフック片５に当接させて、フック片５を押さえつけるような構成とする必要はない。それは壁紙に糊付作業をする際には前記した特許文献１の実施で十分壁紙裁断装置４は壁紙糊付機１に保持された状態となっているからである。
【００２７】
上部ステー３には、ピン１１が設けられており、このピン１１は図１（ｃ）で図示したように、第１のロック係止部１０ｄと第２のロック係止部１０ｅと嵌合することで壁紙裁断装置外れ防止ストッパー１０を係止する。第１のロック係止部１０ｄと第２のロック係止部１０ｅはそれらの中央付近で分割した状態で図示をしているが、この腕部分は分割せずにつながった状態で。第１のロック係止部１０ｄと第２のロック係止部１０ｅとしても良い。図３は、ピン１１と第１のロック係止部１０ｄが嵌合して係止されている状態を上部ステー３の底面側から見た状態を図示したものである。第１のロック係止部１０ｄと第２のロック係止部１０ｅを設けることにより、壁紙裁断装置外れ防止ストッパー１０で壁紙裁断装置４の外れを防止する位置に係止した状態及び壁紙裁断装置４を着脱可能な位置に係止した状態を確実にすることができる。
【００２８】
次に図５に壁紙裁断装置外れ防止ストッパー１５の別の実施形態を示す。図５（ａ）は壁紙裁断装置外れ防止ストッパー１５の正面図、図５（ｂ）が側面図、図５（ｃ）が底面図、図５（ｄ）が平面図である。
【００２９】
図示しているように、図１とは異なり、上部フレーム２と上部ステー３を組み付けた状態でも壁紙裁断装置外れ防止ストッパー１５の上部ステー３への着脱が可能な構成としており、図１（ｂ）に示した穴部１０ｂではなく、上方を解放した溝部１５ｂを具備した構成としている。
【００３０】
１５ａは１０ａと同様にストッパー部であり、１５ｃは１０ｃ同様に操作部である。この操作部１５ｃは壁紙裁断装置外れ防止ストッパー１５の側面の両方に設けた実施形態としている。この操作部１５ｃの形状は１つの実施形態を例示したものであり、本発明を限定するものではなく、例示した以外の操作部にすることも可能である。
【００３１】
１５ｄは１０ｄと同様に壁紙裁断装置４の外れを防止する位置に係止した状態に係止する第１のロック係止部であり、１５ｅは１０ｅと同様に壁紙裁断装置４を着脱可能な位置に係止した状態に係止する第２のロック係止部である。
【００３２】
さらに図６にロック係止部の別実施形態を採用した実施例を示す。図６（ａ）は壁紙裁断装置外れ防止ストッパー２０の正面図、図６（ｂ）が側面図、図６（ｃ）が底面図、図６（ｄ）が平面図である。
【００３３】
図６の実施形態の壁紙裁断装置外れ防止ストッパー２０は、２０ａのストッパー部は１５ａと同様であり、２０ｃの操作部も１５ｃと同様であり、２０ｂの溝部も１５ｂと同様である。
【００３４】
２０ｄのロック係止部は、１５ｄの第１のロック係止部と同様に、壁紙裁断装置４の外れを防止する位置に係止した状態に係止するものである。図６に示した壁紙裁断装置外れ防止ストッパー２０においては、第２のロック係止部に該当するロック係止部を設けてはいない。
【００３５】
そして、ロック係止部２０ｄの先端部に直線状に延びたロック腕部２０ｆを２本設けている。このロック腕部２０ｆとロック係止部２０ｄの反対側に設けた円弧状の部分でピン１１を軽く係止できるようにはしている。このロック腕部２０ｆを無くしてもロック係止部２０ｄで確実に壁紙裁断装置４の外れを防止する位置に係止した状態に係止できるのでロック係止部は１カ所だけとしても良いのである。
【００３６】
図７は図６の壁紙裁断装置外れ防止ストッパー２０を上部ステー３に取り付けた状態を上部ステー３の下方から見た状態を図示したものである。溝部２０ｂで上部ステー３が上部フレーム２に組み付けられた状態においても壁紙裁断装置外れ防止ストッパー２０を上部ステー３に着脱可能な構成としているので、壁紙裁断装置外れ防止ストッパー２０が下方へ脱落しないようにピン１１に脱落防止のワッシャー１２を取り付けている。図７の状態がロック係止部２０ｄがピン１１に嵌合して壁紙裁断装置４の外れを防止する位置に係止した状態である。
【００３７】
次に図８に壁紙糊付機１にカバー１３をセットした状態を示す。糊の乾燥を防止したり、移動中に壁紙糊付機１のローラーに物が落下したりしてローラーが傷つかないように従来からカバーが用いられているのである。そしてまた、カバーをすることで、現場への移動中においては、軽い資材や工具などを直接あるはケースなどに収納して壁紙糊付機の上に載置して移動したりということが通常行われてもいるのである。
【００３８】
カバー１３はコの字状をしており、図１３（ａ）及び図１３（ｂ）に示すようにカバー垂直部１３ａを有している。この垂直部１３ａは上部ステー３の糊付機の外側になる位置にセットされ、図の奥側に位置するステーとも同様にセットされてコの字状のカバー１３が壁紙糊付機１の上部を覆うようにセットされるようになっている。
【００３９】
図８（ａ）は、壁紙裁断装置外れ防止ストッパー１５が壁紙裁断装置４の外れを防止する位置に係止した状態でカバー１３を壁紙糊付機１にセットした状態であり、図８（ｂ）は壁紙裁断装置外れ防止ストッパー１５が壁紙裁断装置を着脱可能な位置に係止した状態でカバー１３を壁紙糊付機１にセットした状態である。
【００４０】
カバー１３には、上部ステー３にセットされるようにカバー垂直部１３ａが設けられており、このカバー垂直部１３ａの端部には切り欠き１３ｂが設けられている。この切り欠き１３ｂは壁紙裁断装置外れ防止ストッパー２０が壁紙裁断装置４の外れを防止する位置に係止した状態のときには切り欠きと壁紙裁断装置外れ防止ストッパー１５が当接しない形状及び寸法となっているのでカバー１３が壁紙糊付機１の上部ステー３に沿った状態でセットされる。
【００４１】
しかし、図８（ｂ）のように、壁紙裁断装置外れ防止ストッパー１５が壁紙裁断装置を着脱可能な位置に係止した状態、あるいは壁紙裁断装置外れ防止ストッパー２０である場合においては壁紙裁断装置を着脱可能な位置にある場合は、カバー１３の切り欠き１３ｂが壁紙裁断装置外れ防止ストッパー１５（あるいは壁紙裁断装置外れ防止ストッパー２０）に接触してしまうことによって、図８（ａ）ではなく、図８（ｂ）のようにカバー１３の端部が浮き上がった状態となる。そのために、壁紙施工作業者は、壁紙裁断装置外れ防止ストッパーが壁紙裁断装置４の外れを防止する位置に係止されていない状態となっていることが認識でき、搬送中や移動中において壁紙裁断装置が脱落してしまうということが発生しないようにすることができるのである。
【００４２】
上記においては、壁紙裁断装置外れ防止ストッパー１５や壁紙裁断装置外れ防止ストッパー２０のように、上部ステー３の上方に壁紙裁断装置外れ防止ストッパーの部材が存在しない実施形態の事例をもって説明をしたが、壁紙裁断装置外れ防止ストッパー１０のように上部ステー３の上方に壁紙裁断装置外れ防止ストッパーの部材が存在する場合には、平面視で壁紙裁断装置外れ防止ストッパーの部材を避けた切り欠き、すなわち上部ステー３の上方まで切り欠いた形状としておくことで対応すれば良い。そのようにすると、上部ステー３の上方に位置する壁紙裁断装置外れ防止ストッパーがカバーの切り欠きに納まっているか納まっておらずにカバー端部が浮いた状態となっているかによって、壁紙裁断装置外れ防止ストッパーが壁紙裁断装置４の外れを防止する位置に係止されているかどうかが容易に判別できるようになる。
【００４３】
以上、詳細を説明したが、第１のロック係止部と第２のロック係止部、あるいはロック係止部のようにピンと嵌合する係止部を開示して説明を行ったが、壁紙裁断装置外れ防止ストッパーと上部ステーそれぞれに壁紙裁断装置４の外れを防止する位置で合致する穴を設けておき、この穴にピンを刺し通すことでロック係止部としてもよく、また穴を設けるのは上部ステーのみとして、壁紙裁断装置４の外れを防止する位置に壁紙裁断装置外れ防止ストッパーをスライドさせたときにピン等を穴に挿通することでピンが壁紙裁断装置外れ防止ストッパーのスライドをさせないようにすることで係止するような構成としてもかまわない。また上記以外の別の係止構造としてもよいのである。
【符号の説明】
【００４４】
１  壁紙糊付機
２  上部フレーム
３  上部ステー
４  壁紙裁断装置
５  フック片
６  弾性狭持フック片
７  下部ピン体
８  取手
９  下部ステー
１０  壁紙裁断装置外れ防止ストッパー
１０ａ  ストッパー部
１０ｂ  穴部
１０ｃ  操作部
１０ｄ  第１のロック係止部
１０ｅ  第２のロック係止部
１１  ピン
１２  ワッシャー
１３  カバー
１３ａ  カバー垂直部
１３ｂ  切り欠き
１５  壁紙裁断装置外れ防止ストッパー
１５ａ  ストッパー部
１５ｂ  溝部
１５ｃ  操作部
１５ｄ  第１のロック係止部
１５ｅ  第２のロック係止部
２０５  壁紙裁断装置外れ防止ストッパー
２０ａ  ストッパー部
２０ｂ  溝部
２０ｃ  操作部
２０ｄ  ロック係止部
２０ｆ  ロック係止直線部
【図１】
0006541060.tif 000002
【図２】
0006541060.tif 000003
【図３】
0006541060.tif 000004
【図４】
0006541060.tif 000005
【図５】
0006541060.tif 000006
【図６】
0006541060.tif 000007
【図７】
0006541060.tif 000008
【図８】
0006541060.tif 000009